(57)【特許請求の範囲】
【請求項１】
１回の入金により複数個の商品を購入する際に複数個の中で少なくとも１つの商品を割引して販売することができる自動販売機において、複数個の商品購入時に、商品の選択に関係なく、割引対象商品の搬出する順序を最後に設定する設定手段と、割引対象商品の搬出完了後、入金額から割引対象商品の割引価格を減算するとともに、割引対象商品の搬出異常発生時には、入金額から搬出済商品の定価価格分を減算した金額を返却する手段とを備えたことを特徴とする自動販売機。
【請求項２】
請求項１に記載の自動販売機において、最初の商品搬出後、自動販売機前面の操作部を操作することにより、割引対象商品の選択をキャンセル可能とし、前記搬出した商品は定価商品とすることを特徴とする自動販売機。
【発明の詳細な説明】
【技術分野】
【０００１】
本発明は、１回の入金により複数個の商品をまとめて購入することにより割引販売可能な自動販売機に関する。
【背景技術】
【０００２】
従来、自動販売機において、複数個の商品を購入できるようにした自動販売機が知られており、また、この複数個の商品購入時に割引販売を可能とした自動販売機が知られている（例えば、特許文献１）。
その割引販売の方法として、例えば、２個の商品をセットで販売することで割引販売を行っており、商品Ａ（販売価格：２００円），商品Ｂ（販売価格：１００円）の２個の商品を購入しようとすると、商品Ａを５０円割引して１５０円として販売し、商品Ｂは定価の１００円として販売して、精算処理を行っていた。
このときの商品搬出順序は、商品が商品Ａ，商品Ｂの順序にて選択された場合には、商品Ａを先に搬出し、商品Ｂを次に搬出するようになっている。
ところで、上記自動販売機において、２５０円を入金して、商品Ａの搬出後、商品Ｂ搬出前に搬出トラブルが発生して商品Ｂを搬出できなかった場合には、以下の方式で釣銭を返却していた。
すなわち、商品Ａの割引適用後の販売金額である１５０円を徴収し、釣銭として商品Bの販売金額である１００円を返却する方式、あるいは商品Ａの定価の販売機金額である２００円を徴収し、釣銭として５０円のみを返却する方式が知られている。
【特許文献１】特開平６−１３１５３９号公報
【発明の開示】
【発明が解決しようとする課題】
【０００３】
上記自動販売機による搬出不良時に釣銭返却方式には、以下のような不具合がある。
まず、商品Ａの割引適用後の販売金額である１５０円を徴収し、釣銭として商品Bの販売金額である１００円を返却する方式では、セット販売としての売上効果が期待できないという問題があり、商品Ａの定価の販売機金額である２００円を徴収し、釣銭として５０円のみを返却する方式では、セット購入による割引販売を期待した利用者が商品Ａの定価単独購入となってしまうという問題がある。
そこで、本発明は、上記の点に鑑みなされたものであり、複数個の商品を購入する際の商品搬出不良における割引に関する不具合を無くすことができる自動販売機を提供することにある。
【課題を解決するための手段】
【０００４】
１回の入金により複数個の商品を購入する際に複数個の中で少なくとも１つの商品を割引して販売することができる自動販売機において、複数個の商品購入時に、商品の選択に関係なく、割引対象商品の搬出する順序を最後に設定する設定手段と、割引対象商品の搬出完了後、入金額から割引対象商品の割引価格を減算するとともに、割引対象商品の搬出異常発生時には、入金額から搬出済商品の定価価格分を減算した金額を返却する手段とを備えたことを特徴とする。
上記自動販売機において、最初の商品搬出後、自動販売機前面の操作部を操作することにより、割引対象商品の選択をキャンセル可能とし、前記搬出した商品は定価商品とすることを特徴とする。
【発明の効果】
【０００５】
本発明によれば、セット販売による割引販売時に、割引対象商品について必ず最後に搬出することで、搬出不良時の返金に関する不具合を無くせるという効果が得られる。
【発明を実施するための最良の形態】
【０００６】
以下、図１ないし図７を参照しながら、本発明に係る自動販売機の実施の形態について説明する。
まず、図５〜図７に本発明における一実施形態の対象となる自動販売機の一例について簡単に説明する。
ここで例示する自動販売機は、缶入り飲料、ペットボトル入り飲料、紙パック入り飲料等の商品を冷却もしくは加熱した状態で販売するもので、本体キャビネット１を備えている。
本体キャビネット１は、前面の開口部１ａが外扉２によって開閉される直方体状の筐体である。外扉２には、硬貨を投入するための硬貨投入口３、紙幣を挿入するための紙幣挿入口４、利用者が投入した貨幣の入金額、釣銭の金額等々、商品Ｃを販売する上で必要となる各種情報を外部に表示するための表示器５、投入した硬貨および挿入した紙幣を返却するための返却レバー６、硬貨を返却する硬貨返却口７、商品Ｃを取り出すための商品取出口８、商品を選択するための操作部９、後述する商品収納コラム、商品バケット、商品Ｃ等を利用者が視認するための透明板１０等、商品Ｃを販売する際に必要となる構成が設けてある。なお、外扉２には、商品取出口８を開閉する扉体１１を設けてある。また、上記透明板１０は、断熱材によって形成してある。この本体キャビネット１の内部には、例えば図２および図３に示すように、上記透明板１０および断熱板１３によって商品収容室１４を画成してある。この商品収容室１４には、冷凍サイクルの蒸発器等、商品収容室１４の内部の空気を冷却するための冷却手段１５、および図には明示していないが、電熱ヒータ等、商品収容室１４の内部の空気を加熱するための加熱手段が設けてあり、上記冷却手段１５を駆動もしくは加熱手段を駆動することにより、予め設定した温度状態に維持することができる。
【０００７】
商品収容室１４には、複数の商品収納ラック２５を上下方向に並設することで構成した商品収納装置２０を設けてある。各商品収納ラック２５は、複数の商品収納コラム３０を左右幅方向に並設することによって構成したもので、個々の商品収納コラム３０に画成した商品収容通路に複数の商品Ｃを奥行幅方向に整列した状態で収容することが可能である。
各商品収納コラム３０は、図６，図７に示すように、コンベアユニット３１を備えている。コンベアユニット３１は、例えば一対のローラ３２ａ，３２ｂと、それら一対のローラ３２ａ，３２ｂに張り渡した帯状のベルト３３と、手前側に配置したローラ３２ａの回転軸部に固着してあり、商品バケット６５の駆動歯車６６に歯合し、当該駆動歯車６６が回転駆動した場合には、その駆動力を当該ローラ３２ａに伝達する駆動力伝達歯車３４とを備えている。
上記商品収納ラック２５が有する商品収納コラム３０は、仕切板３７と上記コンベアユニット３１とで構成してある。
このコンベアユニット３１は、駆動力伝達歯車３４が商品バケットの駆動歯車に歯合した状態で、当該商品バケットの駆動歯車が回転駆動した場合には、手前側のローラ３２ａが回転し、それによりベルト３３が搬送されることによって、当該ベルト３３の上に載置してある商品Ｃを、手前側の商品払出口３５から払い出すものである。
【０００８】
本体キャビネット１の内部には、図６，図７に示すように、商品搬送ユニット６０が設けてある。この商品搬送ユニット６０は、上記商品収納装置２０の手前側となる部位であって、かつ透明板１０の奥側に配置してある。
この商品搬送ユニット６０は、駆動することにより、商品収納装置２０よりも手前側となる部位において、一対の第２レール体６２ａ，６２ｂに対して第１レール体６４を上下方向に沿って移動させることによって、第１レール体６４を任意の高さ位置に占位させること、換言すれば第１レール体６４を任意の商品収納ラック２５に対応する位置に占位させることが可能である。しかも、第１レール体６４に対して商品バケット６５を左右幅方向に移動させることによって、商品バケット６５を任意の左右位置に占位させること、換言すれば商品バケット６５を任意の商品収納コラム３０の商品払出口３５に対向する位置に占位させることが可能である。
次に、上記自動販売機に適用し、本発明に係る商品収納装置２０について説明する。商品収納装置２０は、図７に示すように、商品収容室１４において予め設定した商品販売位置にある商品収納ラック２５の手前側への移動を案内する案内手段６９を備えている。
この案内手段６９は、左右幅方向において互いに対向する一対の側板７０ａ，７０ｂに取り付けた一対の案内板７１ａ，７１ｂと、上記商品収納ラック２５に取り付ける図示しない一対のガイドレールおよび一対のローラで構成してある。
【０００９】
上記のように構成した自動販売機では、販売待機状態において冷却手段１５もしくは加熱手段を駆動させることにより、商品収容室１４に収容してある商品Ｃが所望の温度状態に維持されることとなる。
この販売待機状態において、硬貨投入口３から所定金額の硬貨を投入し、操作部９の操作により商品Ｃを選択した場合、商品搬送ユニット６０が駆動することにより、選択した商品Ｃを収容した商品収納コラム３０に対して商品バケット６５が対向配置され、当該商品収納コラム３０の駆動力伝達歯車３４と商品バケット６５の駆動歯車６６とが歯合することとなる。この状態で、商品バケット６５の駆動歯車６６を回転駆動した場合には、商品Ｃがひとつだけ商品バケット６５に受け渡される。商品Ｃが受け渡された商品バケット６５は、商品搬送ユニット６０のさらなる駆動により商品取出口８に対向する位置に移動する。この状態で、扉体１１を開けば、商品バケット６５に配置された商品Ｃを外部に取り出すことが可能である。
また、セット販売の場合には、操作部９にて２つの商品を選択すると、上記販売動作を２回繰り返して行う。
図１は、本発明の一実施の形態を示す制御ブロック図であり、１００は主制御部であり、主制御部１００には、制御プログラムを記憶するメモリ部１０１、各種設定データを記憶するメモリ部１０２、リモコン１０３、商品収納装置のコンベアユニット３１，商品搬送ユニット６０などの駆動系を駆動するための駆動制御部１０４、貨幣処理部１０５が接続されている。
【００１０】
さらに、主制御部１００には、表示器５、操作部９、冷却手段１５が接続され、操作部９は、テンキーボタン９Ａ、購入ボタン９Ｂ、訂正ボタン９Ｃを備えている。
リモコン１０３は、商品収納装置の管理者などが、本実施の形態におけるコラム毎の価格設定並びに割引金額の入力、割引設定するためのセット販売のコラム設定などを行うための入力部であり、外扉２の内側などに装備されている。このリモコン１０３は、図には明示しないが、各種入力キーおよび設定内容などを表示する表示部を備えている。
このリモコン１０３にて設定されたデータは、メモリ部１０２に記憶される。
ここで、その設定例について説明すると、図３は価格設定例を示す図であり、コラム番号、定価、割引金額との項目があり、コラム番号１，２，３・・・ｎに対応させて、定価ならびに割引金額をリモコン１０３にて入力することにより、メモリ部１０２に記憶される。なお、本実施の形態においては、コラム番号２に係る商品がセット販売時の割引対象となる。
また、図４は割引設定例を示す図であり、セット販売による割引専用のコラム番号を、例えばコラム番号９０，９１，９２・・・９ｎと割り付け、このコラム番号に対応するコラム番号を図４のように予め割り付けておき、この場合、割引専用のコラム番号９０をテンキーボタン９Ａにて入力し、購入ボタン９Ｂを押すことにより、割引専用のコラム番号９０に設定されているコラム番号１，２の商品が搬出される。
【００１１】
上記割引設定においては、予めセット販売される商品が固定であるが、購入者に選択させる方式もあり、割引専用のコラム番号９０をテンキーボタン９Ａにて入力し、コラム番号１，２をテンキーボタン９Ａにて入力することでコラム番号１，２の商品が搬出される。また、搬出順序についても、メモリ部１０２に記憶されるものであり、図４に示すように、セット販売コラムが固定の場合には、割引金額が設定されているコラム番号の商品を後から搬出するように記憶させておくものであり、また、購入者がテンキーボタンを利用して、セット販売のコラム番号を入力する場合には、入力されたコラム番号順にメモリ部１０２の一時領域に記憶し、割引設定されたコラム番号が先に入力されている場合には、コラム番号の順序を入れ替え、入れ替えた順序に基づき商品の搬出を行う。この構成において、図２のフローチャートに基づき、その搬出手順を説明する。まず、硬貨投入口３に入金があり、この場合、２５０円の入金があると（ステップＳ１，Ｙｅｓ）、セット販売による割引販売コラム番号入力有りかを判断し（ステップＳ２）、割引コラム番号９０がテンキーボタン９Ａにより入力されると（ステップＳ２，Ｙｅｓ）、購入ボタン９Ｂの入力有りかを判断し（ステップＳ３）、購入ボタン９Ｂが操作されると（ステップＳ３，Yｅｓ）、本実施の形態においては、購入者が直接コラム番号を入力する方式のため、コラム番号の入力待ちとなる。そこで、コラム番号入力有りかを判断し（ステップＳ４）、まず、コラム番号「２」がテンキーボタン９Ａにより入力されると（ステップＳ４，Yｅｓ）、購入ボタン９Ｂの入力有りかを判断し（ステップＳ５）、購入ボタン９Ｂが操作されると（ステップＳ５，Yｅｓ）、セット販売の次商品の選択が行われる。ここで、次コラム番号入力有りかを判断し（ステップＳ６）、次のコラム番号「１」がテンキーボタン９Ａにより入力されると（ステップＳ６，Yｅｓ）、購入ボタン９Ｂの入力有りかを判断し（ステップＳ７）、購入ボタン９Ｂが操作されると（ステップＳ７，Yｅｓ）、上記説明したように、主制御部１００にてメモリ１０２の記憶内容を読み出し、割引設定されたコラム番号が先に入力されている場合には、コラム番号の順序の入れ替えを行い、本実施の形態の場合、割引対象コラム番号が先に入力されているため、搬出順序を入れ替え、入力順序とは異なるコラム番号１，２の搬出順序に入れ替える（ステップＳ８）。ここでまず、コラム番号１の商品搬出動作を行い、すなわち、商品搬送ユニット６０が駆動することにより、選択したコラム番号１の商品Ｃを収容した商品収納コラム３０に対して商品バケット６５が対向配置され、当該商品収納コラム３０の駆動力伝達歯車３４と商品バケット６５の駆動歯車６６とが歯合することとなる。この状態で、商品バケット６５の駆動歯車６６を回転駆動した場合には、商品Ｃがひとつだけ商品バケット６５に受け渡される。商品Ｃが受け渡された商品バケット６５は、商品搬送ユニット６０のさらなる駆動により商品取出口８に対向する位置に移動する。この状態で、扉体１１を開け、商品バケット６５に配置された商品Ｃを外部に取り出すと、コラム番号１の商品の搬出を完了し（ステップＳ９、Ｙｅｓ）、入���額からコラム番号１の価格を減算する（ステップＳ１０）。一方、ここで、搬出異常が発生すると（ステップＳ９，Ｎｏ）、入金額全額を硬貨返却口７から返却して（ステップＳ１１）、処理を終了する。次に、次商品であるコラム番号２の商品搬出動作に入り、先のコラム番号１の商品同様に選択したコラム番号２の商品Ｃを収容した商品収納コラム３０に対して商品バケット６５が対向配置され、当該商品収納コラム３０の駆動力伝達歯車３４と商品バケット６５の駆動歯車６６とが歯合することとなる。この状態で、商品バケット６５の駆動歯車６６を回転駆動した場合には、商品Ｃがひとつだけ商品バケット６５に受け渡される。商品Ｃが受け渡された商品バケット６５は、商品搬送ユニット６０のさらなる駆動により商品取出口８に対向する位置に移動する。この状態で、扉体１１を開け、商品バケット６５に配置された商品Ｃを外部に取り出すと、コラム番号２の商品の搬出を完了すると（ステップＳ１２、Ｙｅｓ）、入金額からコラム番号２の価格を減算し（ステップＳ１３）、釣銭がある場合には、硬貨返却口７から返却して処理を終了する。一方、ここで、搬出異常が発生すると（ステップＳ１２，Ｎｏ）、入金額からコラム番号１の商品の販売価格分を減算した金額を硬貨返却口７から返却して（ステップＳ１４）、処理を終了する。
【００１２】
次に、図４に示したように、予めセット販売の商品が固定されている場合には、図２に示したフローチャートの中で、ステップＳ４〜ステップＳ７までのフローが省略され、セット販売による割引コラム番号入力有りかを判断し（ステップＳ２）、割引コラム番号９０がテンキーボタン９Ａにより入力されると（ステップＳ２，Ｙｅｓ）、購入ボタン９Ｂの入力有りかを判断し（ステップＳ３）、購入ボタン９Ｂが操作されると（ステップＳ３，Yｅｓ）、ステップＳ９のコラム番号１の商品搬出動作を行うものである。
なお、コラム番号２の商品を搬出する動作前に、訂正ボタン９Ｃが押された場合にはキャンセル可能とすることで、定価商品のみ搬出することになるので、購入者および販売側の双方にとって不利益にならない。また、訂正ボタン９Ｃは、各ステップ段階で選択することにより、前入力を取消することが可能となる。
また、単独販売の場合には、ステップＳ２のセット販売による割引販売コラム番号入力を入力せずに、通常のコラム番号を入力することで、販売可能となる。
さらに、本実施の形態においては、セット販売に関し、２つの商品の組み合わせによる例にて説明したが、３つの商品以上でもよく、その際にも、最後に搬出する商品について割引対象とするものである。
【００１３】
なお、本実施の形態においては、商品搬送ユニットにて商品収納コラム位置まで商品を受け取りに行く自動販売機を例にして説明したが、この自動販売機に限らず、全てのタイプの自動販売機に適用可能であり、テンキーボタン９Ａではなく、商品見本毎に設けられる商品選択ボタン方式では、商品を先選択することでセット販売による割引販売を行うようにし、また、訂正ボタン９Ｃの代わりには返却レバー６を用いることも考えられる。
【図面の簡単な説明】
【００１４】
【図１】本発明における一実施の形態を示す制御ブロック図である。
【図２】本発明における一実施の形態の動作手順を示すフローチャートである。
【図３】本発明における一実施の形態の価格設定例を示す図である。
【図４】本発明における一実施の形態の割引設定例を示す図である。
【図５】本発明に係る商品収納装置を適用した自動販売機を示す正面図である。
【図６】図５における矢視Ａ−Ａでの側断面図であり、図５に示した自動販売機が備える商品収納装置を示す説明図である。
【図７】図６における矢視Ｂ−Ｂでの横断面図である。
【符号の説明】
【００１５】
１      本体キャビネット
８      商品取出口
９      操作部
９Ａ    テンキーボタン
９Ｂ    購入ボタン
９Ｃ    訂正ボタン
１０      透明板
１１      扉体
１４      商品収容室
１５      冷却手段
２０      商品収納装置
２５      商品収納ラック
３０      商品収納コラム
３１      コンベアユニット
３５      商品払出口
６０      商品搬送ユニット
６５      商品バケット
１００      主制御部
１０１      メモリ部
１０２      メモリ部
１０３      リモコン
１０４      駆動制御部
【図１】
0004853468.tif 000002
【図２】
0004853468.tif 000003
【図３】
0004853468.tif 000004
【図４】
0004853468.tif 000005
【図５】
0004853468.tif 000006
【図６】
0004853468.tif 000007
【図７】
0004853468.tif 000008